(57)【要約】本発明は、メッセージを表示するための方法を有する電子デバイスを含み、このメッセージは着信呼要求内に含まれる。電子デバイスが呼び出し段階にある間、電子デバイスのユーザは、前記着信呼要求内にそのメッセージが含まれていることを通知され、メッセージをチェックするかどうかの選択肢がユーザに与えられる。ユーザがメッセージをチェックすると、ユーザには呼を受付けるかどうかの選択肢が与えられる。ユーザがメッセージをチェックできなかった場合には、メッセージはメモリに記憶される。
2004512707.tif 000002
【特許請求の範囲】
【請求項１】
通信システム内で動作させられる電子デバイスであって、
着信呼通知メッセージを含む着信呼要求を受信するための受信機と、
受信機に接続されたプロセッサであって、着信呼要求を受信すると、前記着信呼通知メッセージを表示する前記プロセッサと、
を有する電子デバイス。
【請求項２】
前記プロセッサがさらに、前記着信呼要求が前記着信呼通知メッセージを含むという指示を与える請求項１に記載の電子デバイス。
【請求項３】
前記プロセッサがさらに、前記着信呼通知メッセージを表示する前に、前記着信呼通知メッセージをチェックするようにユーザを促しかつ、
前記プロセッサがさらに、ユーザが前記着信呼通知メッセージをチェックすることを選択した場合、前記着信呼要求を受付けるようにユーザを促す請求項２に記載の電子デバイス。
【請求項４】
前記ユーザが前記着信呼要求の受付けを選択した場合、前記プロセッサが通信リンクを確立する請求項３に記載の電子デバイス。
【請求項５】
前記ユーザが前記着信呼要求を受付けないことを選択した場合、前記プロセッサがさらに、前記着信呼通知メッセージを記憶するようにユーザを促す請求項３に記載の電子デバイス。
【請求項６】
前記プロセッサに接続されたメモリと、
前記ユーザが前記着信呼通知メッセージを記憶することを選択した場合、前記メモリに、前記着信呼通知メッセージを記憶する前記プロセッサと、
をさらに有する請求項５に記載の電子デバイス。
【請求項７】
前記プロセッサに接続された液晶ディスプレイと、
前記着信呼通知メッセージをさらに表示する前記プロセッサと、
をさらに有する請求項１に記載の電子デバイス。
【請求項８】
前記プロセッサに接続されたスピーカと、
前記着信呼通知メッセージをさらに表示する前記プロセッサと、
をさらに有する請求項１に記載の電子デバイス。
【請求項９】
前記プロセッサに接続された発光ダイオードと、
前記着信呼通知メッセージが前記着信呼要求に含まれることを指示するために、前記ＬＥＤをさらに点滅させる前記プロセッサと、
をさらに有する請求項１に記載の電子デバイス。
【請求項１０】
前記プロセッサに接続されたトーン発生器と、
前記着信呼通知メッセージが前記着信呼要求に含まれるという指示を与えるために、前記トーン発生器を使用して少なくとも１つの発信音をさらに発生させる前記プロセッサと、
をさらに有する請求項１に記載の電子デバイス。
【請求項１１】
前記プロセッサに接続されたディスプレイと、
前記着信呼通知メッセージが前記着信呼要求に含まれるという指示を与えるために、前記ディスプレイ上にテキストメッセージをさらに表示する前記プロセッサと、
をさらに有する請求項１に記載の電子デバイス。
【請求項１２】
前記プロセッサに接続されたメモリと、
前記着信呼要求内に受信された前記着信呼通知メッセージをさらに記憶する前記プロセッサと、
をさらに有する請求項１に記載の電子デバイス。
【請求項１３】
発信呼要求を送信するために前記プロセッサに接続された送信機と、
前記発信呼要求に発信呼通知メッセージを添付するように前記ユーザをさらに促す前記信号プロセッサと、
前記ユーザが前記発信呼要求に前記発信呼通知メッセージを添付することを選択した場合、前記発信呼要求に前記発信呼通知メッセージをさらに挿入する前記プロセッサと、
前記送信機を使用して前記発信呼要求をさらに送信する前記プロセッサと、
をさらに有する請求項１に記載の電子デバイス。
【請求項１４】
前記発信呼通知メッセージを生成するためのアルファニューメリックキーパッドをさらに有する請求項１３に記載の電子デバイス。
【請求項１５】
前記プロセッサに接続されて、発信呼通知メッセージを有するメモリと、
前記メモリから前記発信呼通知メッセージを検索し、前記発信呼要求に前記発信呼通知メッセージを添付するための前記プロセッサと、
をさらに有する請求項１３に記載の電子デバイス。
【請求項１６】
電子デバイスによって受信された着信呼通知メッセージを表示するための方法であって、
着信呼通知メッセージを含む着信呼要求を受信するステップと、
前記着信呼要求で受信された前記着信呼通知メッセージを表示するステップと、
を有する着信呼通知メッセージを表示するための方法。
【請求項１７】
前記表示するステップの前に、前記着信呼要求が前記着信呼通知メッセージを含むという指示を与えるステップを有する請求項１６に記載の方法。
【請求項１８】
前記表示するステップの前に、前記着信呼通知メッセージをチェックするようにユーザを促すステップをさらに有する請求項１７に記載の方法。
【請求項１９】
前記着信呼要求を受付けるように前記ユーザを促すステップをさらに有する請求項１８に記載の方法。
【請求項２０】
前記ユーザが前記着信呼要求を受付けることを選択した場合、通信リンクを確立するステップをさらに有する請求項１９に記載の方法。
【請求項２１】
前記ユーザが前記着信呼要求を受付けないことを選択した場合、前記着信呼通知メッセージを記憶するように前記ユーザを促すステップをさらに有する請求項１９に記載の方法。
【請求項２２】
前記ユーザが前記着信呼通知メッセージを記憶することを選択した場合、前記電子デバイスのメモリに前記着信呼通知メッセージを記憶するステップをさらに有する請求項２１に記載の方法。
【請求項２３】
前記電子デバイスのディスプレイ上に前記着信呼通知メッセージを表示するステップをさらに有する請求項１６に記載の方法。
【請求項２４】
前記電子デバイスのスピーカーを使用して、前記着信呼通知メッセージを表示するステップをさらに有する請求項１６に記載の方法。
【請求項２５】
前記着信呼通知メッセージが前記着信呼要求に含まれるという指示を与えるために、前記電子デバイスのＬＥＤを点滅させるステップをさらに有する請求項１６に記載の方法。
【請求項２６】
前記着信呼通知メッセージが前記着信呼要求に含まれるという指示を与えるために、前記電子デバイスのトーン発生器を使用して少なくとも１つの発信音を発生させるステップをさらに有する請求項１６に記載の方法。
【請求項２７】
前記着信呼通知メッセージが前記着信呼要求に含まれるという指示を与えるために、前記電子デバイスのディスプレイ上にテキストメッセージを表示するステップをさらに有する請求項１６に記載の方法。
【請求項２８】
前記ユーザが前記着信呼通知メッセージをチェックしないことを選択した場合、前記着信呼通知メッセージをメモリに記憶するステップをさらに有する請求項１６に記載の方法。
【請求項２９】
通信システム内で動作させられる電子デバイスのためのプロセッサであって、
着信呼通知メッセージを含む着信呼要求を受信するステップと、
ユーザが前記着信呼通知メッセージをチェックすることを選択した場合、該着信呼通知メッセージを表示するステップと、
を有する動作プログラムを備えるプロセッサ。
【請求項３０】
動作プログラムが、前記表示するステップの前に、前記着信呼要求が前記着信呼通知メッセージを含むという指示を与えるステップを有する請求項２９に記載のプロセッサ。
【請求項３１】
動作プログラムが、前記表示するステップで、前記着信呼通知メッセージをチェックするようにユーザを促すステップを有する請求項３０に記載のプロセッサ。
【請求項３２】
動作プログラムが、前記ユーザが前記着信呼通知メッセージをチェックすることを選択した場合、前記着信呼要求を受付けるように前記ユーザを促すステップを有する請求項３１に記載のプロセッサ。
【請求項３３】
動作プログラムが、前記ユーザが前記着信呼要求の受付けを選択した場合、通信リンクを確立するステップを有する請求項３２に記載のプロセッサ。
【請求項３４】
前記動作プログラムが、前記ユーザが前記着信呼要求を受付けないことを選択した場合、前記着信呼通知メッセージを記憶するように前記ユーザを促すステップをさらに有する請求項３２に記載のプロセッサ。
【請求項３５】
前記動作プログラムが、前記ユーザが前記着信呼通知メッセージを記憶することを選択した場合、メモリに、前記着信呼通知メッセージを記憶するステップをさらに有する請求項３４に記載のプロセッサ。
【請求項３６】
前記動作プログラムが、前記プロセッサに接続されたディスプレイ上に、前記着信呼通知メッセージを表示するステップをさらに有する請求項２９に記載のプロセッサ。
【請求項３７】
前記プロセッサがスピーカに接続されており、
前記動作プログラムが、スピーカーを使用して、前記着信呼通知メッセージを表示するステップを有する請求項２９に記載のプロセッサ。
【請求項３８】
前記動作プログラムが、前記着信呼通知メッセージが前記着信呼要求に含まれるという指示を与えるために、前記プロセッサに接続されたＬＥＤを点滅させるステップをさらに有する請求項２９に記載のプロセッサ。
【請求項３９】
前記動作プログラムが、前記着信呼通知メッセージが前記着信呼要求に含まれるという指示を与えるために、前記プロセッサに接続されたトーン発生器を使用して少なくとも１つの発信音を発生させるステップを有する請求項２９に記載のプロセッサ。
【請求項４０】
前記動作プログラムが、前記着信呼通知メッセージが前記着信呼要求に含まれるという指示を与えるために、前記プロセッサに接続されたディスプレイ上にテキストメッセージを表示するステップをさらに有する請求項２９に記載のプロセッサ。
【請求項４１】
前記動作プログラムが、前記ユーザが前記着信呼通知メッセージをチェックしないことを選択した場合、前記着信呼通知メッセージを前記プロセッサに接続されたメモリに記憶するステップをさらに有する請求項２９に記載のプロセッサ。
【請求項４２】
電子デバイスによって発信呼通知メッセージを送信する方法であって、
前記発信呼通知メッセージを生成するステップと、
前記発信呼通知メッセージを発信呼要求に添付するステップと、
前記発信呼要求を送信するステップと、
を有する方法。
【請求項４３】
前記発信呼通知メッセージを生成するステップが、前記電子デバイスのメモリから前記発信呼通知メッセージを検索するステップを有する請求項４２に記載の方法。
【請求項４４】
前記発信呼通知メッセージを生成するステップが、前記電子デバイスのアルファニューメリックキーパッドを使用して、前記発信呼通知メッセージを作成するステップを有する請求項４２に記載の方法。
【請求項４５】
通信システム内で発呼側または被呼側として動作させられる移動端末であって、
呼び出しシーケンスタスクと呼要求設定タスクを有するメモリと、
前記メモリに接続されたプロセッサであって、被呼側として動作させられるときには前記呼び出しシーケンスタスクを実行し、発呼側として動作させられるときには前記呼要求設定タスクを実行し、着信呼通知メッセージを有する着信呼要求を受信すると、前記呼び出しシーケンスタスクをさらに実行するための前記プロセッサと、
を有する移動端末。
【請求項４６】
前記呼要求設定タスクが、発信呼通知メッセージを作成するステップを有し、
前記呼要求設定タスクが、前記発信呼通知メッセージを発信呼要求に挿入するステップをさらに有する請求項４５に記載の移動端末。
【請求項４７】
前記呼び出しシーケンスタスクが、
着信呼通知メッセージを含む着信呼要求を受信するステップと、
前記着信呼要求が前記着信呼通知メッセージを含むという指示を与えるステップと、
前記着信呼通知メッセージをチェックするようにユーザを促すステップと、
前記ユーザが前記着信呼通知メッセージをチェックすることを選択した場合、前記着信呼通知メッセージを表示するステップと、
前記着信呼要求を受付けるように前記ユーザを促すステップと、
前記ユーザが前記着信呼要求を受付けることを選択した場合、通信リンクを確立するステップと、
を有する請求項４５に記載の移動端末。
【発明の詳細な説明】
【０００１】
（発明の分野）
本発明は、着信呼からのメッセージを表示する方法および装置に関し、より具体的には、呼が受付けられる前に前記着信呼の発呼側からのメッセージを表示する方法および装置に関する。
（発明の背景）
通信システムは、送信局（発呼側）と受信局（被呼側）との間で、通信接続を介して情報を通信するために動作可能である。無線通信システムは、送信局と受信局との間で１つ以上の基地局を介して情報が通信されるような通信システムである。セルラまたはデジタル通信システムはマルチユーザの無線通信システムの典型例である。
【０００２】
種々の無線通信システムが開発され、広い地理的領域にわたって実施されている。種々の規格が確立されており、無線通信システムは一般にそれらの規格のうちの１つ以上に従って動作可能であるように構成されている。ＩＳ−９５／ＩＳ−２０００と呼ばれる１つのこのような規格は、無線通信システムに基づいたＣＤＭＡ（符号分割多元接続）を規定する。ＩＳ−９５／ＩＳ−２０００によって規定されたＣＤＭＡのような無線通信システムの場合、被呼側と発呼側との間で通信リンクを介して呼が確立する。発呼側は発信呼要求を送信することにより、発呼シーケンスを使用することによって、呼を開始する。発信呼要求には、ＴＩＡ／ＥＩＡ／ＩＳ−２０００−５−Ａ，２０００（本明細書ではＩＳ−２０００Ａ規格として参照される）として発行された、ＩＳ−２０００Ａ規格と呼ばれる「ＣＤＭＡ２０００スペクトル拡散システムに関する上位層（層３）シグナリング規格」に規定された発信メッセージ（Ｏｒｉｇｉｎａｔｉｏｎ Ｍｅｓｓａｇｅ）が含まれる。呼び出しシーケンスを有する被呼側は着信呼要求を受け、これにはＩＳ−２０００Ａ規格で規定された一般ページメッセージ（Ｇｅｎｅｒａｌ Ｐａｇｅ Ｍｅｓｓａｇｅ）が含まれる、ＩＳ−２０００Ａ規格によって規定された無線システムの場合、発信メッセージ（ＯＭ）を含む呼要求が、発呼側によって生成され、基地局に伝送される。被呼側を突き止めると、基地局は発信メッセージを一般ページメッセージ（ＧＰＭ）に変換し、一般ページメッセージを被呼側に送信する。被呼側がＧＭＰを受けると、ユーザは前記着信呼要求を受付けることができ、次いで通信リンクが確立される。
【０００３】
ＣＤＭＡのような典型的な通信システムの場合、移動局のような電子デバイスが、通信リンク（または呼）を形成するのに用いられる。通信システムにおいて使用される電子デバイスは、ＯＭおよびＧＰＭにおいてユーザを識別するための発呼者ＩＤを提供するように設計されるのが典型的である。発呼者ＩＤは被呼側に発呼側の電話番号を提供する。一般的には呼を受けると、被呼側は発呼者ＩＤをチェックし、前記着信呼を受付けるか否かを選択する。しかしながら、ユーザは発呼者をチェックできはするが、しかし呼を受付けることができないという状況がある。例えばユーザが会議中であり、電子デバイスを会議モードに設定している場合である。この場合、ユーザは呼について他の情報を有さないので、ユーザは発呼側の識別番号をチェックし、呼を受付けないことによりこの呼を音声メールシステムに転送することができる。運悪く、発呼側がユーザに呼を受付けてもらいたい重要なメッセージや緊急メッセージを有することがある。従来の通信システムの場合、発呼側は音声メールを残し、折り返しの呼を待つかまたは被呼側に届くように何度も呼することが必要となる。特に、前記着信呼に関する情報が欠如しているために被呼側が呼を受付けない場合、被呼側に何度も発呼することは不便であり、またコストがかかる。
【０００４】
もし発呼側が被呼側に呼の内容に関する何らかの通知を提供して、被呼側が、前記着信呼を受付けるか否かについて適切に決定できるならば、このことは有益である。さらに、ユーザに通知し、次いでユーザが望むならばさらなる通信のためにこの呼を受付けることを可能にするためのただ一回の呼を確立することが有益となる。
（発明の概要）
本発明は、好適には、電子デバイスが呼通知メッセージを含む呼の送受を容易にするための装置およびこれに関連する方法を提供する。
【０００５】
本発明は、通信システム（例えばＣＤＭＡ，ＴＤＭＡ，ＧＳＭなど）における携帯電話またはパーソナルデジタルアシスタント（ＰＤＡ）のような電子デバイスを含む。移動端末（ＭＴ）は、発呼側からの呼通知メッセージを備えた着信呼要求（例えば一般ページメッセージ）を受信する方法を有する。ＭＴはまた、呼要求で呼通知メッセージ（ＣＮＭ）が受信されていることを示す方法を有する。ＭＴはさらに、移動端末のユーザにＣＮＭを表示する方法を有する。
【０００６】
本発明はまた、通信システム内の電子デバイスを含み、この電子デバイスは、呼通知メッセージ（例えば音声メッセージまたはテキストメッセージ）を生成し、生成されたＣＮＭを有する発信呼要求（例えば発信メッセージ）を送信する方法を備える。
【０００７】
本発明の利点は、移動端末のユーザが前記着信呼要求に含まれたＣＮＭを、呼要求を受付ける前にチェックできることである。例えば、呼通知メッセージを含んだ状態で呼要求を受信した場合、ユーザはＣＮＭが前記着信呼要求に含まれているかどうかをチェックすることができる。メッセージが呼要求に関係している場合には、ユーザはそのメッセージをチェックし、その呼の受付けを選択することができる。ユーザが前記着信呼を受付けることができないか、または呼を受付けないことを選択した場合、メッセージは移動端末のメモリ内に記憶され、ユーザに通知することができる。
【０００８】
別の利点は、被呼側が呼要求に返答したくない場合、ユーザが会話に応じられないことを発呼側が適切に推定し、メッセージを保存し、同じメッセージを使用して後で呼を確立しようと試みることができることである。本発明の全ての利点および範囲は、添付の図面、本発明の以下の詳細な説明、および特許請求の範囲から、より完全に理解することができる。
（発明の詳細な説明）
図１は、本発明の実施例に従った移動局１のブロック図である。一般に移動局１は受信機１０と、送信機１１と、送信機１１および受信機１０に接続された制御装置（プロセッサとしても知られる）１５とを有している。プロセッサ１５は、送信機１１および受信機１０を使用して、それぞれ発信信号（例えば発信呼要求）の送信を開始し、着信信号（例えば着信呼要求）を処理する。これらの信号は、適用可能なセルラまたはデジタルシステムのエアインタフェイスおよびユーザの音声および／またはユーザによって生成されたデータに従うシグナリング情報（例えば呼通知メッセージ）を含んでいてよい。
【０００９】
ユーザインタフェイスは、タッチスクリーンディスプレイを構成してよい液晶ディスプレイ（ＬＣＤ）１２と、発光ダイオード（ＬＥＤ）４０と、トーン発生器１７と、スピーカ１９と、振動デバイス１８と、アルファニューメリックキーパッド１４ａを備えたユーザ入力デバイス１４とを含んでおり、これら全てはプロセッサ１５に接続されている。入力デバイスはまた、入力を生成するためのマイクロフォン１４ｂを備えている。移動局１はまた、タイマー１６（クロックチップとも呼ばれる）を備えており、このタイマーは、プロセッサ１５の動作の同期化と時間追跡のためにプロセッサ１５に接続されている。
【００１０】
移動局１はまた、まとめてメモリ１３として示した種々のメモリを有している。メモリ１３は、記憶された複数の定数および変数を有している。これらの定数および変数は、移動局１の動作中プロセッサ１５によって使用される。例えば、メモリ１３は種々の特徴パラメータと番号割り当てモジュール（Ｎｕｍｂｅｒ Ａｓｓｉｇｎｍｅｎｔ Ｍｏｄｕｌｅ（ＮＡＭ））の値とを記憶している。メモリ１３（典型的には読み出し専用メモリ）にはまた、プロセッサ１５の動作を制御するための動作プログラムが記憶されている。メモリ１３はまた、ユーザインタフェイスを介してユーザによって提供されたデータを記憶するのに使用される。さらに、メモリ１３は、移動局１の動作を制御し、本発明の実施例を行うためのサブプログラムまたはサブプロセスを保持している。メモリ１３内の動作プログラムは、呼が受付けられる前に呼通知メッセージを表示するためのルーチンを有している。
【００１１】
図２Ａを参照すると、全体的に符号２００で示したマルチユーザ通信システムは、移動局１と同様の１つ以上の移動局との無線通信を提供する。通信システム２００は、通常無線基地局（ＢＴＳ）２０２を有している。ＢＴＳは、地理的領域内でＢＴＳと各移動局相互間に形成された無線リンク２１１ａおよび２１１ｂを介して、１つ以上の移動局、例えば移動局１ａおよび移動局１ｂとの送受信機通信信号に応じて動作可能である。ＢＴＳ２０２はＢＴＳ２０２の動作を制御する基地局制御装置（ＢＳＣ）２０４に接続されている。ＢＳＣは、外部ネットワークを介して公衆交換電話網（ＰＴＳＮ）２０８に接続されている移動交換局２０６に接続されている。ＢＳＣと移動局１ａおよび移動局１ｂとの間には、ＰＴＳＮ２０８と、ＢＳＣ２０４と、移動局１ａとＢＴＳ２０２との間に形成された無線リンク２１１ａおよび２１１ｂとを介して、通信経路（または通信リンク）が形成可能である。
【００１２】
１つの典型的な実施例の場合、通信システム２００はＩＳ−２０００Ａ規格に応じて動作可能な無線通信システムを形成する。矢印２１２は発信メッセージの順方向リンク伝送を表し、矢印２１６は一般ページメッセージを表す。典型的な通信システム２００はさらに、発信メッセージおよび一般ページメッセージをＩＳ−２０００Ａ規格に応じて改変することにより、呼通知メッセージを含む。
【００１３】
図２Ｂは、発信呼通知メッセージを表す付加的なビット２５２を有する典型的な発信呼要求２５０を示す。複数のビット２５２はＩＳ−２０００Ａ規格に従って発信メッセージ２５１に付加される。複数のビットはアルファニューメリック文字を示すことができ、製造に応じて、文字の長さは１〜１５０文字の範囲であってよい。図２Ｃは、着信呼通知メッセージを表す付加的なビット２６２を有する典型的な着信呼要求２６０を示す。複数のビット２６２は、ＩＳ−２０００Ａ規格に従って一般ページメッセージ２６１に付加される。複数のビットは、アルファニューメリック文字を示し、その長さは発信呼通知メッセージ２５２の長さに等しい。ＩＳ−２０００Ａ規格と、改変されたメッセージ２５０および２６０とに従って動作可能な典型的通信システムに関して、以下に本発明の実施例の動作について説明するが、他のタイプの通信システムにおける本発明の別の実施例を同様に実現することも可能である。
【００１４】
ＩＳ−２０００Ａに従った典型的な通信システムの場合、移動局１ａから成る発呼側２２０を示す移動局１は、ＢＴＳ２０２に向けて送られる、図２Ｂに示すようなＢＴＳ発信呼要求２５０をＢＴＳに送信する。ＢＴＳ２０２は発呼者情報、例えば被呼側の電話番号を取り出し、移動局１ｂから成る被呼側２２２の位置を突き止めようとする。ＢＴＳ２０２が被呼側の位置を突き止めると、ＢＴＳ２０２は発信呼要求２５０からの情報を使用して、前記着信呼要求２６０を生成し、前記着信呼要求２６０を、被呼側２２２として指定された移動局に送信する。被呼側２２２が前記着信呼要求２６０を受付けると、発呼側２２０と被呼側２２２との間に双方向通信を確立することができる。
【００１５】
本発明の実施例の動作によって、移動局１は、ＢＴＳ２０２から受信された図２Ｃに示す着信呼要求２６０から、前記着信呼通知メッセージ２６２を取り出すように動作することができる。また、移動端末１は、発信呼通知メッセージ２５２を生成し、ＢＴＳ２０２への送信前に発信呼要求内に発信呼通知メッセージ２５２を挿入するように動作可能である。これにより、通常呼通知メッセージの送受を許さない従来の移動局とは異なり、本発明の実施例の動作により、改良された通信が可能になる。
【００１６】
図３は、呼が移動局１に対して行われるときに呼通知メッセージを表示するために、本発明に従ってプロセッサ１５によって実行される呼び出しシーケンスタスクを示すフローチャートである。ブロック３００において、発呼側からの着信呼の着信呼通知メッセージ２６１と呼情報（例えば発呼者ＩＤ）とから成る着信呼要求２６０を受信すると、呼び出しシーケンスタスクが起動される。ブロック３０２においては、着信呼の着信呼要求に呼通知メッセージが添付されていることがユーザに指示される。この指示は、少なくとも１つのテキスト文字から成るテキストメッセージをディスプレイ１２上に表示し、トーン発生器１７を使用して少なくとも１つの発信音（ｂｅｅｐ）を発生させるか、またはプロセッサ１５に接続されたＬＥＤ４０を点滅させることを含んでよい。ブロック３０４においては、ディスプレイ１２上に通知メッセージチェックが表示され、キーパッド１４ａの指定キーを作動させることにより前記着信呼通知メッセージ２６１をチェックするか否かをユーザに促す。例えばユーザは前記着信呼通知メッセージをチェックするために「＊」キーを作動させることができ、または、ユーザは「終了」キーを作動させるかまたは何もしないようにすることができる。ブロック３０６において、ユーザが「終了」キーを作動させるかまたは前記着信呼要求を無視する場合には、ブロック３２２において、前記着信呼通知メッセージ２６２が前記着信呼要求から取り出され、メモリ１３に記憶される。ユーザが音声メールシステムに加入している場合には、呼は音声メールボックス２１０に転送される。また、ブロック３２４において、呼通知メッセージを伴う呼を取り逃していることを指示するメッセージを、ディスプレイ１２上に表示することができる。ブロック３０６において、ユーザが「＊」キーを作動させると、次にブロック３０８で、前記着信呼通知メッセージ２６２が、前記着信呼要求２６０から取り出され、前記入来通知メッセージ２６２がＬＣＤ上に表示される。また、音声メールシステムに加入している場合は、呼転送は使用禁止される。受信された呼通知メッセージのタイプに応じて、スピーカ１９を使用して音声による前記着信呼通知メッセージ２６２を、または、ディスプレイを使用してテキストによる前記呼通知メッセージ２６２のいずれかを表示することができる。ブロック３１２においては、呼メッセージ受付けが表示され、ユーザが指定キー例えば「通話」キーを作動させることにより、前記着信呼要求を受付けるか否かをユーザに促す。ブロック３１２において、ユーザが前記着信呼要求２６０を受付ける場合、通信リンクが確立され、ブロック３１４においてユーザは被呼側との通信を開始する。ブロック３１２でユーザが呼を受付けない場合、ブロック３１６においてユーザはメモリ３８内に前記着信呼通知メッセージ２６２を記憶するように促される。ブロック３１８において、ユーザが着信呼通知メッセージ２６２の記憶を選択した場合、次にブロック３２０で、前記着信呼通知メッセージ２６０がメモリ１３内に記憶される。
【００１７】
図４は、呼が移動局１によって行われた場合にプロセッサ１５によって実施される呼要求設定タスクのフローチャートを示す。ユーザが被呼側の番号を入力し、予め決められた呼要求キー（例えば「通話」または「送信」）を作動させると、呼要求設定タスクが起動される。ブロック４００において、発信呼通知２５２を発信呼要求２５０に挿入するか否かをユーザに促すメッセージが表示される。ブロック４０２において、ユーザが発信呼通知２５２を発信呼要求２５０に挿入することを選択した場合、次にブロック４０４において、プロセッサ１５はユーザが発信呼通知メッセージ２５２を作成することを可能にする。ユーザは予め記憶または録音された呼通知メッセージ２５２をメモリ１３から使用してもよい。ブロック４０６において、ユーザが発信呼通知メッセージ２５２を作成するか、または、記憶された呼通知メッセージ２５２をメモリ１３から選択すると、発信呼通知２５２が挿入される。ブロック４０８においては、発信呼要求がＢＴＳ２０２に送信される。ブロック４０２において、ユーザが発信呼通知メッセージを添付することを選択しない場合、次に発信呼要求は、ブロック４０８においてＢＴＳ２０２に送信される。
【００１８】
例を挙げるならば、この方法および装置は、電子デバイス、例えばＰＤＡ、ＧＰＳデバイス、陸線（ｌａｎｄｌｉｎｅ）電話、コンピュータ、および無線接続システムを有するその他のデバイスにおいて実施することができる。この方法および装置は、呼通知メッセージ自動添付モードまたは呼通知メッセージ自動表示モードのような動作モードを実行することにより実現することができる。このようなモードは、ユーザがメニュー機能を使用することにより変更することができる。
【００１９】
こうして、好適実施例に関して本発明を具体的に図示して説明してきたが、前記説明は一例を示しただけに過ぎず、特許請求の範囲に記載した事項を除けば本発明を決して限定するものではない。
【図面の簡単な説明】
【図１】
本発明の実施例を実行可能な移動局を示すブロック図を示すである。
【図２Ａ】
本発明の実施例の動作可能な通信システムを示す図である。
【図２Ｂ】
本発明の実施例の発信呼要求を示す図である。
【図２Ｃ】
本発明の実施例の着信呼要求を示す図である。
【図３】
本発明の実施例の呼び出しシーケンスタスクのソフトウェアモジュールを示す図である。
【図４】
本発明の実施例の呼要求設定タスクのソフトウェアモジュールを示す図である。
【図１】
2004512707.tif 000003
【図２Ａ】
2004512707.tif 000004
【図２Ｂ】
2004512707.tif 000005
【図２Ｃ】
2004512707.tif 000006
【図３】
2004512707.tif 000007
【図４】
2004512707.tif 000008
【国際公開パンフレット】
2004512707.tif 000009
2004512707.tif 000010
2004512707.tif 000011
2004512707.tif 000012
2004512707.tif 000013
2004512707.tif 000014
2004512707.tif 000015
2004512707.tif 000016
2004512707.tif 000017
2004512707.tif 000018
2004512707.tif 000019
2004512707.tif 000020
2004512707.tif 000021
2004512707.tif 000022
2004512707.tif 000023
2004512707.tif 000024
2004512707.tif 000025
2004512707.tif 000026
2004512707.tif 000027
2004512707.tif 000028
2004512707.tif 000029
2004512707.tif 000030
2004512707.tif 000031
2004512707.tif 000032
【国際公開パンフレット（コレクトバージョン）】
2004512707.tif 000033
2004512707.tif 000034
【国際公開パンフレット（コレクトバージョン）】
2004512707.tif 000035
2004512707.tif 000036
【国際調査報告】
2004512707.tif 000037
2004512707.tif 000038
2004512707.tif 000039
2004512707.tif 000040
2004512707.tif 000041
2004512707.tif 000042